(57)【要約】  フィルタ組立体は、フィルタ１０に出入りする流体が流れるための通路を画成するフィルタ１０を備えている。アダプタ１１がフィルタ１０に接続され且つ通路の連続部を提供する。アダプタ１１はフィルタ１０を取り付け板１２に取り付け且つ、取り付け板１２と係合可能な１つ以上の封止リング３０、３７を支持している。アダプタ１１はプラスチック材料で形成され、アダプタ１１の１つの面は金属、特にスチール製とすることのできる環状の補強部材３１と接触することで補強される。このことは、アダプタ１１により提供される流路を最大にすることを可能にする。
2005512779.tif 000002
【特許請求の範囲】
【請求項１】
環状体（２１）と、アダプタ（１１）をフィルタ（１０）に接続するコネクタ（２２）とを備える、フィルタを取り付けるためのアダプタにおいて、環状体（２１）が半径方向内面（２３）及び半径方向外面（２４）を有し、一方の面には、封止リング（３０、３７）を受け入れる溝（２６）が形成され、反対面と前記溝（２５、２６）の環状部分とを補強する環状の補強部材（３１）を備える、アダプタ。
【請求項２】
前記内面（２３）及び外面（２４）が、環状体（２１）の軸線と同軸の円筒状面である、請求項１に記載のアダプタ。
【請求項３】
溝（２５、２６）が半径方向外面（２４）に形成される、請求項１又は２に記載のアダプタ。
【請求項４】
溝（２６）が、基部（３６）により相互に接続された、全体として平行な第一及び第二の側壁（３５）を有して、全体としてＵ字形であり、該第二の側壁が前記補強部材（３１）により形成される、請求項１から３の何れか１つに記載のアダプタ。
【請求項５】
補強部材（３１）が、環状体（２１）の関係した面に重なっている第一の部分（３２）と、前記第二の側壁を形成する半径方向に伸びるフランジ（３３）とを備える、請求項４に記載のアダプタ。
【請求項６】
前記内面（２３）と前記外面（２４）との間を伸びる端部壁を有し、溝（２６）の基部（３６）が、該端部壁から伸び、補強部材（３１）が、該端部壁を越えて突き出し前記第二の側壁を形成する、請求項４又は５に記載のアダプタ（１１）。
【請求項７】
少なくとも１つの更なる溝（２５）を有する、請求項１から６の何れか１つに記載のアダプタ。
【請求項８】
前記又は各々の溝（２５、２６）が関係した封止リング（３０、３７）を保持する、請求項１から７の何れか１つに記載のアダプタ。
【請求項９】
環状体（２１）がプラスチック材料で形成される、請求項１から８の何れか１つに記載のアダプタ。
【請求項１０】
補強部材（３１）が金属、好ましくはスチールで形成される、請求項１から９の何れか１つに記載のアダプタ。
【請求項１１】
フィルタに出入りする流体が流れるための通路を画成するフィルタ（１０）と、前記コネクタにより前記フィルタ（１０）に接続され且つ前記通路の連続部を提供する、請求項１から１１の何れか１つに記載のアダプタ（１１）とを備えるフィルタ組立体。
【請求項１２】
フィルタ（１０）が第一及び第二の端部を有する環状であり、アダプタ（１１）が該端部の一方に接続される、請求項１１に記載のフィルタ組立体。
【請求項１３】
前記端部の一方が端部キャップ（２０）より閉じられ、アダプタ（１１）が前記端部キャップ（２０）に接続される、請求項１２に記載のフィルタ組立体。
【請求項１４】
開口（３８）を有する取り付け板（１２）を更に備え、溝（２６）が、前記開口（３８）と封止可能に係合する封止リング（３７）を有する、請求項１１から１３の何れか１つに記載のフィルタ組立体。
【請求項１５】
環状体（２１）が請求項３に記載したものであり、開口（３８）が、環状内面を有する環状通路を備え、封止リング（３７）が前記内面と封止可能に係合する、請求項１４に記載のフィルタ組立体。
【発明の詳細な説明】
【技術分野】
【０００１】
本発明は、フィルタ組立体、及びフィルタをフィルタ組立体内に取り付けるアダプタに関する。
【背景技術】
【０００２】
１つの形態のアダプタは、フィルタに出入りする流体が流れるための通路を画成する型式のフィルタと共に使用される。該アダプタは、上記通路の連続部を提供し且つ、例えば、取り付け板にフィルタを取り付けるために使用される環状体を有している。
【発明の開示】
【発明が解決しようとする課題】
【０００３】
かかるアダプタは、通常、プラスチック材料で出来ており、また、アダプタに十分な強度を提供するため、アダプタは、要求された厚さを必要とする。このことは、アダプタにより画成される通路の直径を制限し、このことは、フィルタを通る流量を望ましくない程に減少させる可能性がある。
【課題を解決するための手段】
【０００４】
本発明の第一の側面によれば、環状体と、アダプタをフィルタに接続するコネクタとを備え、環状体が半径方向内面及び外面を有し、一方の面には、封止リングを受け入れる溝が形成され、反対面を補強する環状の補強部材と、上記溝の環状部分とを備える、フィルタを取り付けるためのアダプタが提供される。
【０００５】
該面にて環状の補強アダプタを使用することは、アダプタの厚さを薄くし、従って、流路を最大にすることを可能にする。
本発明の第二の側面によれば、フィルタに出入りする流体が流れるための通路を画成するフィルタと、上記コネクタにより上記フィルタに接続され且つ、上記通路の連続部を提供する、本発明の第一の側面によるアダプタとを備えるフィルタ組立体が提供される。
【発明を実施するための最良の形態】
【０００６】
以下に、添付図面を参照しつつ単に一例として、本発明の１つの実施の形態についてより詳細に説明する。添付図面は、フィルタ及びアダプタを備えるフィルタ組立体であって、取り付け板に取り付けられた状態にあるフィルタ組立体の概略断面図である。
【０００７】
図面を参照すると、フィルタ組立体は、共に、取り付け板１２によって取り付けられたフィルタ１０と、アダプタ１１とを備えている。フィルタ１０は、取り付け板１２により支持された複数のフィルタの１つとすることができる。
【０００８】
フィルタ１０は、プリーツ付き膜材料とし又は深層形フィルタの材料或いは、その他の適宜な形態のフィルタ材料とすることのできるフィルタ材料１３を有している。フィルタ材料１３には、上流の排液層１４及び下流の排液層１５が設けられている。該フィルタ１０は、第一の環状端部１６と、第二の環状端部１７とを有しており、また、フィルタ材料１３に出入りする流体のための通路を提供する中央の円筒状通路１８を画成する。
【０００９】
フィルタ１０の第一の端部１６は、通路１８をも閉じる第一の端部キャップ１９によって閉じられる。フィルタ１０の第二の端部１７は、通路１８を開いたままにする第二の環状端部キャップ２０によって閉じられている。第一及び第二の端部キャップ１９、２０は、プラスチック材料で製造することができる。これらの端部キャップは、接着又は溶接或いは、任意のその他の適宜な方法によってフィルタ１０の他の部分に接続することができる。
【００１０】
アダプタ１１は、プラスチック材料でできた環状体２１を備えており、該環状体の一端には、環状体２１を第二の端部キャップ２０に接続する環状のコネクタ２２が設けられている。環状体は、環状の内面２３及び環状の外面２４を有している。外面２４には、第一及び第二の溝２５、２６が形成されている。第一の溝２５は、全体としてＵ字形の形状をしており、また、環状体２１の材料によって形成され、また、第一及び第二の側壁２７、２８は、基部２９によって相互に接続されている。第一の溝２５は、エラストマー性材料の第一の封止リング３０を支持している。
【００１１】
第二の溝２６は、環状体２１と、全体としてＬ字形断面の環状の補強リング３１とにより形成されている。スチールのような金属で出来たものとすることのできる補強リング３１は、内側本体２１の内面２３に重なり、且つ、該内面２３に接触する軸方向に伸びる部分３２と、環状体２１の端部壁３４を亙って伸びる半径方向伸長部分３３とを有している。このように、補強リング３１は、内面２３上に配置されており、このため、補強リング３１は、特に、半径方向に向けて環状体に作用する力に抗して内面２３及び環状体２１を補強する。第二の溝２６は、環状体に形成された第一の側壁３５と、第一の側壁３５から端部壁３４まで伸びる基部３６とを有している。補強リング３１の半径方向に伸びる部分３３の外端は、端部壁３４を越えて伸びており、第二の溝２６の第二の側壁を形成する。第二の溝２６は、エラストマー性材料で出来た第二の封止リング３７を支持している。
【００１２】
このようにして、第二の溝２６を形成することの有利な効果は、次の通りである。
環状体２１は成形法によって形成される。第一の溝２５を成形するためには、分割型成形工具を使用する必要がある。これらの工具が第一の溝２５の基部２９にて合わさる箇所には、盛上った分割線があろう。この分割線は、関係した封止リング３０を持ち上げ且つ、環状体２１を通る漏洩路を提供する可能性がある。このことは、成形ではなくて機械加工によって第一の溝２５を形成することにより、また、環状体を２つ以上の部品から形成することにより解決することができるが、これらの解決策は、時間及び費用がかかる。第一の側壁３５及び基部３６は、環状体２１の端部壁３４まで開放しているため、分割型工具を使用せずに、第二の溝２６を成形することができる。従って、盛上ったリブが存在する可能性はなく、このため、第二の封止リング３７は、基部３６及び第一の側壁３５に対し確実に当接し、このため、漏洩路の可能性を防止する。このように、リブに起因して第一の溝２５を通る漏洩路は存在するであろうが、第二の溝２６を通るかかる漏洩路は存在しないであろう。
【００１３】
その１つを参照番号３８で示した複数の円筒状開口が形成された取り付け板１２にフィルタ１０を取り付けるためアダプタ１１が使用される。開口３８は、アダプタ１１の外面２４が図面に示すように、開口３８内に密着嵌めするような寸法とされている。この位置において、第一及び第二の封止リング３０、３７は、開口３８を封止し、その間を流体が流れるのを防止する。
【００１４】
使用時、ろ過すべき流体は、フィルタ１０の半径方向外面からフィルタ材料１３を通って通路１８まで流れ、その後、流体は、通路１８の連続部を形成するアダプタ１１の環状体２１を通って流れる。勿論、反対方向に流れるようにしてもよい。
【００１５】
補強リング３１が存在することは、特に、半径方向に作用する力に対しアダプタを補強し且つ、環状体２１の厚さを最小にし、このため、環状体２１の内面２３の直径を最大にすることを可能にする。一方、このことは、アダプタ１１がフィルタ１０からの流体の流れを制限する程度を最小にすることを保証する。このことは、アダプタの可撓性を低下させ、第一及び第二の封止リング３０、３７が取り付け板１２の開口３８と確実に係合することを保証する。
【００１６】
アダプタ１１は、上述した型式以外のフィルタと共に使用可能であることも理解されよう。２つの封止リングを設ける必要はない。封止リングを１つ又は３或いはより多数、設けるようにしてもよい。補強リング３１は、金属製であるものとして上記に説明したが、該補強リングは、適宜な任意の堅い材料で出来たものとしてもよい。
【００１７】
封止リング３０、３７は、外面２４にあるものとして示され、また、補強リング３１は、内面２３と係合するものとして示してあるが、これらの位置は逆にし、封止リング３０、３７が内面２３にあり、補強リング３１が外面２４にあるようにしてもよい。この場合、取り付け板１２は、管（図示せず）にて置換することになろう。
【図面の簡単な説明】
【００１８】
【図１】フィルタ及びアダプタを備えるフィルタ組立体であって、取り付け板に取り付けられた状態にあるフィルタ組立体の概略断面図である。
【図１】
2005512779.tif 000003
【国際調査報告】
2005512779.tif 000004
2005512779.tif 000005